(57)【要約】【課題】受講者にとって有益な広告が提供され、広告提供者が掲載費に対する投資効果を把握でき、教材を製作・配布する業者の収益構造を確立することが可能な教育情報提供方法を提供する。【解決手段】教育情報データベース、複数の広告提供者の広告情報及び各広告提供者のサーバへアクセスするためのアドレスを受講者の属性に対応づけて記憶した広告情報データベースを記録した記録媒体を受講者に配布する。受講者の属性に基づいて、広告情報データベースから広告情報及びアドレスを抽出する。抽出した広告情報、アドレスが記述されたリンク及び教育情報は表示され、表示された各広告提供者の広告情報に対する閲覧履歴を記憶する。広告提供者のリンクに対する操作により、サーバへのアクセスがあった場合、中央装置へ記憶した広告提供者の広告情報に対する閲覧履歴及び受講者情報を送信する。【選択図】　　　　図５
2004101770.tif 000002
【特許請求の範囲】
【請求項１】
教育情報を提供する教育情報提供方法において、
教育情報を記憶した教育情報データベース、及び、複数の広告提供者の広告情報及び各広告提供者のサーバコンピュータへアクセスするためのアドレスを受講者の属性に対応づけて記憶した広告情報データベースが予め記憶された記録媒体を受講者に配布し、
コンピュータの記録媒体読み取り手段により前記記録媒体を読み取らせ、
コンピュータの入力手段から受講者情報を受け付け、
受け付けた受講者情報の属性に基づいて、演算手段により前記広告情報データベースから各広告提供者の広告情報及びアドレスを抽出し、
抽出した広告情報、アドレスが記述されたリンク及び前記教育情報データベースから読み出した教育情報を表示手段へ出力し、
出力された各広告提供者の広告情報に対する閲覧履歴を記憶し、
広告提供者のリンクに対する操作により、サーバコンピュータへのアクセスがあった場合、通信網を介して接続される中央装置へ前記記憶した広告提供者の広告情報に対する閲覧履歴及び前記受講者情報を送信する
ことを特徴とする教育情報提供方法。
【請求項２】
教育情報を出力する教育情報出力装置において、
教育情報を記憶した教育情報データベースと、
複数の広告提供者の広告情報及び各広告提供者のサーバコンピュータへアクセスするためのアドレスを受講者の属性に対応づけて記憶した広告情報データベースと、
受講者情報を受け付ける受付手段と、
受け付けた受講者情報の属性に基づいて、前記広告情報データベースから各広告提供者の広告情報及びアドレスを抽出する抽出手段と、
抽出した広告情報、アドレスが記述されたリンク及び前記教育情報データベースから読み出した教育情報を表示手段へ出力する出力手段と、
出力された各広告提供者の広告情報に対する閲覧履歴を記憶する記憶手段と、広告提供者のリンクに対する操作により、サーバコンピュータへのアクセスがあった場合、通信網を介して接続される中央装置へ前記記憶した広告提供者の広告情報に対する閲覧履歴及び前記受講者情報を送信する送信手段と
を備えることを特徴とする教育情報出力装置。
【請求項３】
請求項２に記載の教育情報出力装置、前記中央装置及びサーバコンピュータが通信網を介して接続された教育システムであって、
前記管理コンピュータは、前記教育情報出力装置から送信された広告提供者の広告情報に対する閲覧履歴及び前記受講者情報を、前記広告提供者のサーバコンピュータへ配信する配信手段を備えることを特徴とする教育システム。
【請求項４】
請求項２に記載の教育情報出力装置、前記中央装置及びサーバコンピュータが通信網を介して接続された教育システムであって、
前記サーバコンピュータは前記管理サーバコンピュータへ認証情報を送信する認証情報送信手段を備え、
前記管理コンピュータは、送信された認証情報が正当であると判断した場合、前記教育情報出力装置から送信された広告提供者の広告情報に対する閲覧履歴及び前記受講者情報を、前記広告提供者のサーバコンピュータへ配信する配信手段を備えることを特徴とする教育システム。
【請求項５】
前記サーバコンピュータは、配信された閲覧履歴に基づいて、広告用電子メールを生成する生成手段と、
生成した広告用電子メールを前記配信された受講者情報を参照して、教育情報出力装置へ送信するメール送信手段と
をさらにそなえることを特徴とする請求項３または４に記載の教育システム。
【請求項６】
教育情報をコンピュータに出力させるためのコンピュータプログラムにおいて、
コンピュータに、受講者情報を受け付けさせる受付ステップと、
コンピュータに、受け付けさせた受講者情報の属性に基づいて、複数の広告提供者の広告情報及び各広告提供者のサーバコンピュータへアクセスするためのアドレスを受講者の属性に対応づけて記憶した広告情報データベースから各広告提供者の広告情報及びアドレスを抽出させる抽出ステップと、
コンピュータに、抽出させた広告情報、アドレスが記述されたリンク及び教育情報を記憶した教育情報データベースから読み出した教育情報を表示手段へ出力させる出力ステップと、
コンピュータに、出力させた各広告提供者の広告情報に対する閲覧履歴を記憶させる記憶ステップと、
コンピュータに、広告提供者のリンクに対する操作により、サーバコンピュータへのアクセスがあった場合、通信網を介して接続される中央装置へ前記記憶させた広告提供者の広告情報に対する閲覧履歴及び前記受講者情報を送信させる送信ステップと
を実行させることを特徴とするコンピュータプログラム。
【請求項７】
教育情報をコンピュータに出力させるためのコンピュータプログラムが記録されたコンピュータでの読み取りが可能な記録媒体において、
教育情報を記憶した教育情報データベースと、
複数の広告提供者の広告情報及び各広告提供者のサーバコンピュータへアクセスするためのアドレスを受講者の属性に対応づけて記憶した広告情報データベースとが記憶されており、
コンピュータに、受講者情報を受け付けさせる受付ステップと、
コンピュータに、受け付けさせた受講者情報の属性に基づいて、前記広告情報データベースから各広告提供者の広告情報及びアドレスを抽出させる抽出ステップと、
コンピュータに、抽出させた広告情報、アドレスが記述されたリンク及び前記教育情報データベースから読み出した教育情報を表示手段へ出力させる出力ステップと、
コンピュータに、出力させた各広告提供者の広告情報に対する閲覧履歴を記憶させる記憶ステップと、
コンピュータに、広告提供者のリンクに対する操作により、サーバコンピュータへのアクセスがあった場合、通信網を介して接続される中央装置へ前記記憶させた広告提供者の広告情報に対する閲覧履歴及び前記受講者情報を送信させる送信ステップと
を実行させることを特徴とするコンピュータでの読み取りが可能な記録媒体。
【発明の詳細な説明】
【０００１】
【発明の属する技術分野】
本発明は、教育情報を出力する教育情報提供方法、教育情報出力装置、教育システム、コンピュータを教育情報出力装置として機能させるためのコンピュータプログラム及び記録媒体に関し、特に教育情報に加えて広告情報を出力し、受講者が閲覧した広告情報に対する閲覧履歴を受講者情報と共に広告提供者に提供する教育情報提供方法等に関する。
【０００２】
【従来の技術】
近年、コンピュータを用いた教育の一つであるｅ−ラーニングが盛んに行われている。ｅ−ラーニングではＣＤ−ＲＯＭ等の記録媒体に教育情報を予め記憶しておき、これを配布して受講者のコンピュータにインストールすることにより学習を行う。これにより、受講者は学校等に行くことなく自由な時間帯に自宅等で学習することが可能となる。
記載すべき先行技術文献情報は存在しない。出願人において先行技術調査を行ったが、記載すべき先行技術文献は存在しなかった。
【０００３】
【発明が解決しようとする課題】
記録媒体を配布して教育を行うｅ−ラーニングにおける収益構造は受講者から得られる教育費に加えて、記録媒体中に記録された広告掲載費から成り立っている。しかしながら、記録媒体を配布する形態のｅ−ラーニングでは、記録媒体に記録された広告情報をどれだけ受講者が閲覧しているのか、また掲載費に対する投資効果がどれだけあるのかが、全く広告提供者が把握できないという問題があった。インターネットを用いたｅ−ラーニングにおいては、広告提供者のＵＲＬ等がＨＴＭＬ（Ｈｙｐｅｒ　Ｔｅｘｔ　Ｍａｒｋｕｐ　ｌａｎｇｕａｇｅ）により記述されたバナー広告を学習用のＷｅｂページ中に貼り付け、このバナー広告に対するアクセス回数等を把握することにより、ある程度掲載費に対する投資効果を把握することが可能であるが、記録媒体を配布する形態のｅ−ラーニングでは、オフラインで講義を行うものであるため、そのような情報を広告提供者が把握することは困難であった。
【０００４】
本発明は斯かる事情に鑑みてなされたものであり、その目的とするところは、学習時に受講者に最適な広告を提供し、その閲覧履歴を記憶すると共に、広告提供者のサーバコンピュータに接続された場合は、受講者情報及び閲覧履歴を中央装置で記憶して各広告提供者へ提供することにより、受講者にとって有益な広告が提供され、広告提供者が掲載費に対する投資効果を把握でき、また教材を製作・配布する業者の収益構造を確立することが可能な教育情報提供方法、教育情報出力装置、教育システム、コンピュータを教育情報出力装置として機能させるためのコンピュータプログラム及び記録媒体を提供することにある。
【０００５】
また、本発明の他の目的は得られた閲覧履歴及び受講者情報を広告提供者が活用することにより、受講者に適した広告用電子メールを送信することが可能な教育情報出力装置を提供することにある。
【０００６】
【課題を解決するための手段】
第１発明に係る教育情報提供方法は、教育情報を提供する教育情報提供方法において、教育情報を記憶した教育情報データベース、及び、複数の広告提供者の広告情報及び各広告提供者のサーバコンピュータへアクセスするためのアドレスを受講者の属性に対応づけて記憶した広告情報データベースが予め記憶された記録媒体を受講者に配布し、コンピュータの記録媒体読み取り手段により前記記録媒体を読み取らせ、コンピュータの入力手段から受講者情報を受け付け、受け付けた受講者情報の属性に基づいて、演算手段により前記広告情報データベースから各広告提供者の広告情報及びアドレスを抽出し、抽出した広告情報、アドレスが記述されたリンク及び前記教育情報データベースから読み出した教育情報を表示手段へ出力し、出力された各広告提供者の広告情報に対する閲覧履歴を記憶し、広告提供者のリンクに対する操作により、サーバコンピュータへのアクセスがあった場合、通信網を介して接続される中央装置へ前記記憶した広告提供者の広告情報に対する閲覧履歴及び前記受講者情報を送信することを特徴とする。
【０００７】
第２発明に係る教育情報出力装置は、教育情報を出力する教育情報出力装置において、教育情報を記憶した教育情報データベースと、複数の広告提供者の広告情報及び各広告提供者のサーバコンピュータへアクセスするためのアドレスを受講者の属性に対応づけて記憶した広告情報データベースと、受講者情報を受け付ける受付手段と、受け付けた受講者情報の属性に基づいて、前記広告情報データベースから各広告提供者の広告情報及びアドレスを抽出する抽出手段と、抽出した広告情報、アドレスが記述されたリンク及び前記教育情報データベースから読み出した教育情報を表示手段へ出力する出力手段と、出力された各広告提供者の広告情報に対する閲覧履歴を記憶する記憶手段と、広告提供者のリンクに対する操作により、サーバコンピュータへのアクセスがあった場合、通信網を介して接続される中央装置へ前記記憶した広告提供者の広告情報に対する閲覧履歴及び前記受講者情報を送信する送信手段とを備えることを特徴とする。
【０００８】
第３発明に係る教育システムは、第２発明の教育情報出力装置、前記中央装置及びサーバコンピュータが通信網を介して接続された教育システムであって、前記管理コンピュータは、前記教育情報出力装置から送信された広告提供者の広告情報に対する閲覧履歴及び前記受講者情報を、前記広告提供者のサーバコンピュータへ配信する配信手段を備えることを特徴とする。
【０００９】
第４発明に係る教育システムは、第２発明の教育情報出力装置、前記中央装置及びサーバコンピュータが通信網を介して接続された教育システムであって、前記サーバコンピュータは前記管理サーバコンピュータへ認証情報を送信する認証情報送信手段を備え、前記管理コンピュータは、送信された認証情報が正当であると判断した場合、前記教育情報出力装置から送信された広告提供者の広告情報に対する閲覧履歴及び前記受講者情報を、前記広告提供者のサーバコンピュータへ配信する配信手段を備えることを特徴とする。
【００１０】
第５発明に係る教育システムは、第３発明または第４発明において、前記サーバコンピュータは、配信された閲覧履歴に基づいて、広告用電子メールを生成する生成手段と、生成した広告用電子メールを前記配信された受講者情報を参照して、教育情報出力装置へ送信するメール送信手段とをさらにそなえることを特徴とする。
【００１１】
第６発明に係るコンピュータプログラムは、教育情報をコンピュータに出力させるためのコンピュータプログラムにおいて、コンピュータに、受講者情報を受け付けさせる受付ステップと、コンピュータに、受け付けさせた受講者情報の属性に基づいて、複数の広告提供者の広告情報及び各広告提供者のサーバコンピュータへアクセスするためのアドレスを受講者の属性に対応づけて記憶した広告情報データベースから各広告提供者の広告情報及びアドレスを抽出させる抽出ステップと、コンピュータに、抽出させた広告情報、アドレスが記述されたリンク及び教育情報を記憶した教育情報データベースから読み出した教育情報を表示手段へ出力させる出力ステップと、コンピュータに、出力させた各広告提供者の広告情報に対する閲覧履歴を記憶させる記憶ステップと、コンピュータに、広告提供者のリンクに対する操作により、サーバコンピュータへのアクセスがあった場合、通信網を介して接続される中央装置へ前記記憶させた広告提供者の広告情報に対する閲覧履歴及び前記受講者情報を送信させる送信ステップとを実行させることを特徴とする。
【００１２】
第７発明に係るコンピュータでの読み取りが可能な記録媒体は、教育情報をコンピュータに出力させるためのコンピュータプログラムが記録されたコンピュータでの読み取りが可能な記録媒体において、教育情報を記憶した教育情報データベースと、複数の広告提供者の広告情報及び各広告提供者のサーバコンピュータへアクセスするためのアドレスを受講者の属性に対応づけて記憶した広告情報データベースとが記憶されており、コンピュータに、受講者情報を受け付けさせる受付ステップと、コンピュータに、受け付けさせた受講者情報の属性に基づいて、前記広告情報データベースから各広告提供者の広告情報及びアドレスを抽出させる抽出ステップと、コンピュータに、抽出させた広告情報、アドレスが記述されたリンク及び前記教育情報データベースから読み出した教育情報を表示手段へ出力させる出力ステップと、コンピュータに、出力させた各広告提供者の広告情報に対する閲覧履歴を記憶させる記憶ステップと、コンピュータに、広告提供者のリンクに対する操作により、サーバコンピュータへのアクセスがあった場合、通信網を介して接続される中央装置へ前記記憶させた広告提供者の広告情報に対する閲覧履歴及び前記受講者情報を送信させる送信ステップとを実行させることを特徴とする。
【００１３】
本発明にあっては、教育情報を記憶した教育情報データベース、及び、複数の広告提供者の広告情報及び各広告提供者のサーバコンピュータへアクセスするためのアドレスを受講者の属性に対応づけて記憶した広告情報データベースが予め記憶された記録媒体を受講者に配布する。そして、コンピュータの記録媒体読み取り手段により前記記録媒体を読み取らせ、コンピュータの入力手段から受講者情報を受け付ける。コンピュータの演算手段は、受け付けた受講者情報の属性に基づいて、前記広告情報データベースから各広告提供者の広告情報及びアドレスを抽出し、抽出した広告情報、アドレスが記述されたリンク及び前記教育情報データベースから読み出した教育情報を表示手段へ出力する。
【００１４】
各広告提供者の広告情報が表示された場合、各広告情報に対する閲覧履歴を記憶する。そして、広告提供者のリンクに対する操作により、サーバコンピュータへのアクセスがあった場合、通信網を介して接続される中央装置へ前記広告提供者の広告情報に対する閲覧履歴及び前記受講者情報を中央装置へ送信するようにしたので、記録媒体を配布する形態のｅ−ラーニングにおいても、受講者は有益な広告情報を閲覧でき、広告提供者は中央装置から閲覧履歴及び受講者情報を取得して掲載費に対する投資効果及び受講生の広告に対する反応を把握でき、またｅ−ラーニング事業者も安定した収益を得ることが可能となる。
【００１５】
また、本発明にあっては、サーバコンピュータは、配信された閲覧履歴に基づいて、広告用電子メールを生成し、生成した広告用電子メールを前記配信された受講者情報を参照して、教育情報出力装置へ送信するようにしたので、受講者が興味を持った商品に対する広告を効率的に送信することが可能となる。
【００１６】
【発明の実施の形態】
以下本発明を実施の形態を示す図面に基づいて詳述する。
図１は本発明に係る教育システムの概要を示す模式図である。図において１は受講生が使用する教育情報出力装置（以下、コンピュータという）であり、教材用の記録媒体１０を作成するｅ−ラーニング事業者の中央装置２にインターネット等の通信網Ｎを介して接続されている。さらに、通信網Ｎには各広告提供者のサーバコンピュータ（以下、ＷＷＷサーバという）３，３，３…が接続されている。受講生は学習用のアプリケーションソフトを起動する実行ファイル、教育情報データベース、広告情報データベースが記録された記録媒体１０の配布を受けこれをコンピュータ１にインストールすることにより、学習でき、また広告情報を閲覧することが可能となる。また、ＷＷＷサーバ３にアクセスすることにより、Ｗｅｂページを閲覧することができる。
【００１７】
図２はコンピュータ１のハードウェア構成を示すブロック図である。図に示すように、演算手段（以下、ＣＰＵ（Ｃｅｎｔｒａｌ　Ｐｒｏｃｅｓｓｉｎｇ　Ｕｎｉｔ）という）１１にはバス１７を介してＲＡＭ１２，ハードディスク等の記憶部１５、中央装置２及びＷＷＷサーバ３と情報を送受信するためのモデム等の通信部１６，液晶ディスプレイ等の表示手段（以下、表示部という）１４、及びキーボード、マウス等の入力手段（以下、入力部という）１３、ＣＤ−ＲＯＭドライブ等の記録媒体読取部１９が接続される。記憶部１５には表示部１４，及び入力部１３等を制御するための制御プログラム１５Ｐが記憶されている。
【００１８】
ｅ−ラーニング事業者から配布される記録媒体１０をインストールすることにより、各種実行ファイル１０３が実行され、ＲＡＭ１２上で展開された各種アプリケーションプログラム１０４に従い学習用の問題等の教育情報及び広告情報等が表示部１４に出力される。アプリケーションプログラム１０４の指示に従い、ＣＰＵ１１は記録媒体１０に予め記憶している教育情報データベース（以下、教育情報ＤＢという）１０１から学習の進行状況に応じた教育情報を読み出す。また、アプリケーションプログラム１０４の指示に従い、ＣＰＵ１１は、記録媒体１０に予め記憶している広告情報データベース（以下、広告情報ＤＢという）１０２から後述する処理により広告情報を読み出す。
【００１９】
記憶部１５にはさらに、受講者の氏名、性別、住所等を記憶した受講者情報記憶ファイル１５１、Ｗｅｂページを閲覧するためのブラウザ１５３、及び受講者の広告情報に対する閲覧履歴を記憶した閲覧履歴記憶ファイル１５２が設けられている。
【００２０】
ＣＰＵ１１は、バス１７を介してコンピュータ１の上述したようなハードウェア各部と接続されていて、それらを制御すると共に、記憶部１５に格納された制御プログラム１５Ｐ及びＲＡＭ１２にロードされたアプリケーションプログラム１０４に従って、種々のソフトウェア的機能を実行する。表示部１４は、液晶表示装置等の表示装置であり、学習用の教育情報、広告提供者から提供される広告情報、Ｗｅｂページ等を表示する。ＲＡＭ１２は、ＳＲＡＭ（Ｓｔａｔｉｃ　Ｒａｎｄｏｍ　Ａｃｃｅｓｓ　Ｍｅｍｏｒｙ）またはフラッシュメモリ等で構成され、ソフトウェアの実行時に発生する一時的なデータを記憶する。
【００２１】
記録媒体１０のインストール後、アプリケーションプログラム１０４がロードされ、図３に示す受講者情報登録メニューが表示される。図３は受講者情報登録メニューのイメージを示す説明図である。図に示すように教育を受ける受講者固有に付与される受講者Ｎｏ、氏名、生年月日、性別、電話番号、及びメールアドレスを入力すべきボックスが、アプリケーションプログラム１０４に従いＣＰＵ１１の指示により表示部１４に表示される。受講者は入力部１３から必要な情報を入力する。ＣＰＵ１１はこれらの情報が入力された場合、これら受講者情報を受け付け、記憶部１５の受講者情報記憶ファイル１５１に記憶する。
【００２２】
図４は広告情報ＤＢ１０２のレコードレイアウトを示す説明図である。広告情報ＤＢ１０２はリレーショナルデータベースの形態をなし、ＣＰＵ１１はＤＢのフィールドのキーを関連づけたスキーマにおいてＳＱＬ（Ｓｔｒｕｃｔｕｒｅｄ　Ｑｕｅｒｙ　Ｌａｎｇｕａｇｅ）を用いて対話することにより、必要な情報の登録、検索等の処理を実行する。図に示すように広告提供者（企業Ａ，企業Ｂ…）に対応づけて、広告提供者のＷＷＷサーバ３へリンクするためのアドレス（以下、ＵＲＬ（Ｕｎｉｆｏｒｍ　Ｒｅｓｏｕｒｃｅ　Ｌｏｃａｔｅｒｓ）），広告情報（Ａ１．ｈｔｍｌ、Ａ２．ｈｔｍｌ…）、及び受講者の属性（性別、地域、年齢など）が記憶されている。広告情報フィールドには広告提供者が提供する一又は複数の広告ファイルが記憶されている。本実施の形態では、広告情報及び教育情報をブラウザ上で表示するため、ファイル形式はＨＴＭＬ形式となっている。性別フィールドには性別が記憶されている。男女と記憶されている場合は広告情報Ａ１．ｈｔｍｌは受講者が男女どちらにであっても提供される。また広告が女性用化粧品に関するものである場合は、性別フィールドに女が記憶されているＡ３．ｈｔｍｌが女性の受講者にのみ提供される。
【００２３】
地域フィールドには広告情報を提供する受講者の居住地域を記憶している。例えば、受講者が住所を九州地方に属する福岡県と記載した場合は、企業ＡのＡ１．ｈｔｍｌ、Ａ２．ｈｔｍｌ、及び企業ＢのＢ１．ｈｔｍｌが読み出されて提供される。年齢フィールドには広告情報を提供する受講者の対象年齢が記憶されている。同様に受講者の年齢に応じた広告情報が提供される。ＣＰＵ１１は受講者情報記憶ファイル１５１に記憶した受講者情報の属性を元に、ＳＱＬを生成し、広告情報ＤＢ１０２を検索して受講者のニーズに沿った広告情報を抽出して表示部１４に出力する。
【００２４】
図５は表示部１４に出力される広告情報及び教育情報のイメージを示す説明図である。学習が開始された場合、ＣＰＵ１１はブラウザを起動し、抽出した広告情報及び教育情報を読み出し表示部１４に出力する。教育情報は受講者の進捗状況に応じて教育情報ＤＢ１０１からｈｔｍｌファイルが読み出されて表示される。なお、進捗状況に関する情報は記憶部１５に学習終了時に記憶される。ＣＰＵ１１はフレームＦ１に教育情報ＤＢ１０１から読み出した教育情報を表示する。また、フレームＦ２及びＦ３には受講者の属性に基づき抽出された広告情報が表示される。
【００２５】
フレームＦ２には企業Ａの広告情報へアクセスするためのアイコンＡ１、Ａ２，Ａ６及び企業ＡのＷＷＷサーバ３へのアドレスが記述されたリンク（以下、バナー広告）Ｌが表示される。受講者が入力部１３から広告情報のアイコンＡ１，Ａ２，またはＡ６をクリックした場合、広告情報ＤＢ１０２に記憶した各ファイル（Ａ１．ｈｔｍｌ，Ａ２．ｈｔｍｌ，Ａ６ｈｔｍｌ）がそれぞれ読み出されてフレームＦ２に表示される。なお、ＣＰＵ１１は受講者の広告情報に対する閲覧履歴を閲覧履歴記憶ファイル１５２に記憶している。
【００２６】
企業Ａのバナー広告Ｌがクリックされた場合、ＣＰＵ１１は、バナー広告Ｌに記述されたＵＲＬ（アドレス）を参照して、通信部１６のネットワーク接続要求信号を出力し、ＷＷＷサーバ３との間で通信を確立する。なお、バナー広告Ｌ（リンク）には、タグ＜Ａ　ＨＲＥＦ＞と＜／Ａ＞とで囲まれる部分にＵＲＬが記述されており、バナー広告Ｌに対するクリックによりＷＷＷサーバ３の指定されたファイルへ接続される。なお、本実施の形態においてはバナー広告Ｌを用いているが、これに限らず、リンクはテキストのみからなるハイパーテキスト・リンクであっても良い。また、バナー広告Ｌに表示される画像データ等は広告情報ＤＢ１０２に予め記憶されている。
【００２７】
通信が確立された後、別ウインドウにブラウザが起動されオンラインにて企業ＡのＷＷＷサーバ３のＷｅｂページを閲覧することができる。ＣＰＵ１１はＷＷＷサーバ３との間で通信確立後、中央装置２との間でも通信を確立し、閲覧履歴記憶ファイル１５２に記憶した企業Ａの閲覧履歴及び受講者情報記憶ファイル１５１に記憶した受講者情報を送信する。フレームＦ３には、各企業（広告提供者）の広告をそれぞれ切り換えてフレームＦ２に表示するためのボタンが表示されている。受講者は入力部１３から閲覧したい企業のボタンをクリックすることにより、該企業の抽出された広告情報及びバナー広告がフレームＦ２に表示される。例えば、企業Ｂの広告をクリックした場合、受講生の属性に基づいて抽出された広告情報が表示され、また企業ＢのＷＷＷサーバ３へアクセスするためのアドレスが記述されたバナー広告が表示される。
【００２８】
図６は閲覧履歴記憶ファイル１５２のレコードレイアウトを示す説明図である。図に示すように広告提供者である各企業の広告情報に対応させて、閲覧履歴が記憶されている。閲覧履歴としては各広告情報にアクセスするためのアイコンのクリック回数、及び各広告情報に対する閲覧時間等が記憶されている。例えば広告Ａ１は５回も閲覧されており、また閲覧時間も１５分と長く、受講生は広告Ａ１に大変興味を持っていると判断できる。一方、広告Ａ２は一度しか閲覧されず、しかも１０秒間しか閲覧されていない。したがって、広告提供者である企業Ａは、広告を掲載した場合の効果を把握でき、またこの受講生に対しては広告Ａ２に関する商品よりもＡ１に関する商品を積極的に広告用電子メール（以下、ダイレクトメールという）等により勧めた方が良いことが理解できる。ＣＰＵ１１はブラウザに表示されるこれらアイコンＡ１等に対する入力部１３から操作状況を監視し、閲覧履歴として閲覧履歴記憶ファイル１５２に記憶する。
【００２９】
図７は中央装置２及びＷＷＷサーバ３のハードウェア構成を示すブロック図である。まず、中央装置２のハードウェア構成について説明する。図に示すように、ＣＰＵ（Ｃｅｎｔｒａｌ　Ｐｒｏｃｅｓｓｉｎｇ　Ｕｎｉｔ）２１にはバス２７を介してＲＡＭ２２，ハードディスク等の記憶部２５、ＷＷＷサーバ３及びコンピュータ１と情報を送受信するためのゲートウェイ等の通信部２６，液晶ディスプレイ等の表示部２４、及びキーボード、マウス等の入力部２３が接続される。記憶部２５には表示部２４，及び入力部２３等を制御するための制御プログラム２５Ｐが記憶されている。
【００３０】
記憶部２５には閲覧履歴受講者情報ファイル２５１Ａ、２５１Ｂ…（場合により、２５１で代表する）及び認証情報ファイル２５２が記憶されている。閲覧履歴受講者情報ファイル２５１には、各受講者のコンピュータ１から送信された受講者情報及び閲覧履歴が広告提供者である企業毎に分類されて記憶されている。たとえば、広告提供者である企業Ａ用の閲覧履歴受講者情報ファイル２５１Ａには、各受講者の受講者情報に対応させて、企業Ａの広告に対する閲覧履歴が記憶されている。これらの情報は、広告提供者である各企業のＷＷＷサーバ３へ配信される。認証情報ファイル２５２には閲覧履歴及び受講者情報を配信する際に要求される、ＩＤ及びパスワードが記憶されている。閲覧履歴及び受講者情報は適切に保護する必要があることから、認証を経た上で各ＷＷＷサーバ３へ配信される。
【００３１】
続いて、ＷＷＷサーバ３のハードウェア構成について説明する。図に示すように、ＷＷＷサーバ３はインターネット（通信網Ｎ）に接続されるｈｔｔｐ（Ｈｙｐｅｒｔｅｘｔ　Ｔｒａｎｓｆｅｒ　Ｐｒｏｔｏｃｏｌ）サーバエンジンとして機能し、これを構成するＣＰＵ３１にはバス３７を介してＲＡＭ３２，ハードディスク等の記憶部３５、中央装置２及びコンピュータ１等と情報を送受信するためのゲートウェイ等の通信部３６，液晶ディスプレイ等の表示部３４、及びキーボード、マウス等の入力部３３が接続される。
【００３２】
ＲＡＭ３２には、コンピュータ１及び中央装置２からの要求に応じて各種処理を実行するＣ言語、Ｊａｖａ（登録商標）等で記述されたＣＧＩ（Ｃｏｍｍｏｎ　Ｇａｔｅｗａｙ　Ｉｎｔｅｒｆａｃｅ）プログラム３２Ｐ、その他の制御プログラムがロードされている。記憶部３５にはＨＴＭＬファイル３５１が記憶されており、コンピュータ１からＷｅｂページの取得要求があった場合は、ＨＴＭＬファイル３５１内のＨＴＭＬファイルが読み出され、送信される。
【００３３】
さらに、記憶部３５には、閲覧履歴受講者情報ファイル３５２及び広告情報ファイル３５３が記憶されている。図８は閲覧履歴受講者情報ファイル３５２のレコードレイアウトを示す説明図である。閲覧履歴受講者情報ファイル３５２は上述した認証処理を経て中央装置２から各ＷＷＷサーバ３へ送信されるものである。図に示すように受講者の氏名、受講者のメールアドレス等の受講者情報に対応させて広告情報及び各広告情報に対する閲覧履歴が記憶されている。なお、受講者情報は図示していないが、住所、電話番号、性別等のデータも含まれている。ＣＰＵ３１は閲覧履歴を参照して、ダイレクトメール（広告用電子メール）を生成し、受講者のメールアドレス宛へダイレクトメールを送信する。ダイレクトメールの内容は広告情報ファイル３５３に記憶されており、クリック回数または閲覧時間の長い広告に係る広告情報を含むダイレクトメールが生成される。
【００３４】
図９はダイレクトメールのイメージを示す説明図である。ダイレクトメールは基本テンプレートＴ１及び広告メッセージＴ２から構成される。基本テンプレートＴ１は記憶部３５に基本テキスト文が記憶されており、ＣＰＵ３１は抽出した閲覧履歴受講者情報ファイル３５２の受講者氏名を、基本テキスト分の所定位置に挿入する。また、広告メッセージＴ２はクリック回数または閲覧時間の長い広告に係る広告情報が広告情報ファイル３５３から抽出され広告メッセージＴ２部分に挿入され、ＣＰＵ３１はこれらの基本テンプレートＴ１及び広告メッセージＴ２から構成されるダイレクトメールを生成して受講者へ送信する。
【００３５】
以上のハードウェア構成において、本発明のソフトウェア処理についてフローチャートを用いて説明する。図１０乃至図１４は本発明の教育システムの処理手順を示すフローチャートである。まず、ｅ−ラーニング事業者の中央装置２の入力部２４から教育情報を記憶部２５に記憶する（ステップＳ１０１）。なお、教育情報はブラウザ上で閲覧できるように例えばｈｔｍｌ形式で作成しておくことが望ましい。また、広告提供者から提供された広告情報及びＵＲＬを受講者の属性対応づけて記憶部２５に記憶する（ステップＳ１０２）。教育情報及び全ての広告提供者の広告情報及びＵＲＬを記憶した場合は、図示しないＣＤ−Ｒドライブ等の記録媒体書き込み装置に指示して、記録媒体１０に記憶した教育情報を読み出して教育情報ＤＢ１０１として記録し、また記憶した広告情報及びＵＲＬを読み出して広告情報ＤＢ１０２として記録し、さらに受講者のコンピュータ１で学習用のアプリケーションプログラム１０４を展開させるための実行ファイル１０３を記録する（ステップＳ１０３）。なお、記録媒体１０への各種情報の記録は中央装置で行うのではなく、他の専用の書き込み装置を用いて行っても良い。
【００３６】
このようにして製造されたＣＤ−ＲＯＭ、ＤＶＤ−ＲＯＭ等の記録媒体１０は受講者に配布される（ステップＳ１０４）。ｅ−ラーニング事業者に対し、受講申込を終えた受講者は、コンピュータ１の記録媒体読取部１９に、記録媒体１０を挿入する。コンピュータ１のＣＰＵ１１は挿入された記録媒体１０を読み取り（ステップＳ１０５）、実行ファイル１０３を実行して本発明の処理を行うアプリケーションプログラム１０４をＲＡＭ１２上に展開してロードする（ステップＳ１０６）。
【００３７】
ＣＰＵ１１は受講者情報登録メニューを図３の如く表示部１４へ出力する（ステップＳ１１）。なお、受講者情報登録メニュー等の各画面データは実行ファイル１０３を実行した後に、記憶部１５に展開されて記憶されている。入力部１３から受講者が受講者情報を入力した場合は、ＣＰＵ１１はこれを受け付け（ステップＳ１１２）、受け付けた受講者情報（受講者Ｎｏ、氏名、生年月日、性別、住所、電話番号、メールアドレスなどの各属性）を受講者情報記憶ファイル１５１に記憶する（ステップＳ１１３）。
【００３８】
ＣＰＵ１１は記憶された受講者情報の各属性に基づき、広告情報及びＵＲＬを抽出する（ステップＳ１１４）。具体的には、ＣＰＵ１１は受講者情報の属性を基に、ＳＱＬを作成し、広告情報ＤＢ１０２の属性フィールドから、受講者情報の属性に合致した広告情報ファイル及びＵＲＬを抽出する。抽出された広告情報及びＵＲＬはいったんＲＡＭ１２に格納される。次いでＣＰＵ１１は学習に対する進捗状況を記憶部１５から読み出し（ステップＳ１１５）、進捗状況に応じて教育情報ＤＢ１０１から教育情報が読み出される（ステップＳ１１６）。なお、学習開始時においては、進捗は全くないので、例えばテキストの第１章が読み出される。また、後述する処理により記憶部１５に進捗状況が記憶されている場合、例えば第６章まで終了という情報が記憶されている場合は、第７章の内容が読み出されることになる。
【００３９】
ＣＰＵ１１は、ブラウザ１５３を起動し（ステップＳ１１７）、教育情報及びＲＡＭ１２に格納した広告情報及びＵＲＬを読み出し、ブラウザ上に図５の如く教育情報、広告情報及びＵＲＬが記述されたバナー広告Ｌを表示する（ステップＳ１１８）。受講者はブラウザ上で学習を行い、また必要に応じて各広告提供者の広告を閲覧する。ＣＰＵ１１は広告情報の閲覧履歴を閲覧履歴記憶ファイル１５２に記憶する（ステップＳ１２１）。具体的には図５に示すフレームＦ２内のアイコンＡ１等のクリック回数、アイコンＡ１等をクリックした後に表示される広告情報のファイルＡ１．ｈｔｍｌの閲覧時間等を図６に示すように閲覧履歴記憶ファイル１５２に記憶する。
【００４０】
ＣＰＵ１１は図６のフレームＦ２内のバナー広告Ｌがクリックされたか否かを判断する（ステップＳ１２２）。すなわちリンクに対する操作入力が入力部１３からあったか否かを判断する。バナー広告Ｌがクリックされていない場合は（ステップＳ１２２でＮＯ）、ステップＳ１２１に移行し、学習及び広告の閲覧を繰り返し続ける。一方、バナー広告Ｌがクリックされた場合は（ステップＳ１２２でＹＥＳ）、ＣＰＵ１１は通信確立要求信号を通信部１６に出力し（ステップＳ１２３）、バナー広告Ｌ内に記述されたＵＲＬを参照してＷＷＷサーバ３（上述の例では企業ＡのＷＷＷサーバ３）へアクセスしＷｅｂページの取得要求を行う（ステップＳ１２４）。
【００４１】
ＷＷＷサーバ３のＣＰＵ３１は記憶部３５のＨＴＭＬファイル３５１から、送信されたＵＲＬに対応するＨＴＭＬファイルを読み出し（ステップＳ１２５）、読み出したＨＴＭＬファイルをコンピュータ１へ送信する（ステップＳ１２６）。コンピュータ１のＣＰＵ１１は別ウィンドウにブラウザ１５３を起動し（ステップＳ１２７）、送信されたＨＴＭＬファイルのＨＴＭＬ文を解釈しＷｅｂページの表示を行う（ステップＳ１２８）。これにより受講者はＷＷＷサーバ３から最新の情報をオンラインで入手することができる。これと同時に受講者の閲覧履歴及び受講者情報も中央装置２へ送信される。以下にその内容を説明する。
【００４２】
ＣＰＵ１１は、接続先の広告提供者の広告情報に対する閲覧履歴を閲覧履歴記憶ファイル１５２から読み出す（ステップＳ１３１）。上述した例では、企業Ａフィールドに記憶されている閲覧履歴が読み出される。さらに、受講者情報を受講者情報記憶ファイル１５１から読み出す（ステップＳ１３２）。ＣＰＵ１１は読み出した閲覧履歴及び受講者情報を中央装置２へ送信する（ステップＳ１３３）。中央装置２のＣＰＵ２１は送信された閲覧履歴及び受講者情報を、広告提供者毎（企業毎）に分類した閲覧履歴受講者情報ファイル２５１へ記憶する（ステップＳ１３６）。なお上述した例では送信された企業Ａの広告に対する閲覧履歴及び受講者情報は、企業Ａ向けの閲覧履歴受講者情報ファイル２５１Ａに記憶される。
【００４３】
コンピュータ１のＣＰＵ１１は学習が終了したか否かを判断し（ステップＳ１３４）、終了していない場合は（ステップＳ１３４でＮＯ）、ステップＳ１２１へ移行し以上の処理を繰り返して行う。一方、学習処理が終了する場合は（ステップＳ１３４でＹＥＳ）、進捗状況を記憶部１５に記憶し（ステップＳ１３５）アプリケーションプログラム１０４をクローズする。
【００４４】
広告提供者は以下に述べる認証処理を経て受講者の閲覧履歴及び受講者情報を取得することができる。まず、ＷＷＷサーバ３から中央装置２へアクセスを行う（ステップＳ１３７）。認証情報入力画面が表示され、広告提供者は入力部３３から認証情報を入力する（ステップＳ１３８）。入力された認証情報は中央装置２へ送信される（ステップＳ１３９）。なお、認証情報としては広告提供者固有に付与されるＩＤ及びパスワードが用いられる。
【００４５】
中央装置２のＣＰＵ２１は記憶部２５に記憶した認証情報と送信された認証情報とを比較し、送信された認証情報が正当であるか否かを判断する（ステップＳ１４１）。正当でない場合は（ステップＳ１４１でＮＯ）、認証失敗であるとして処理を終了する。一方、認証情報が正当であると判断した場合は（ステップＳ１４１でＹＥＳ）、対応する広告提供者の閲覧履歴及び受講者情報を閲覧履歴受講者情報ファイル２５１から読み出し（ステップＳ１４２）、ＷＷＷサーバ３に対して読み出した閲覧履歴及び受講者情報を配信する（ステップＳ１４３）。
【００４６】
ＷＷＷサーバ３のＣＰＵ３１は配信された閲覧履歴及び受講者情報を閲覧履歴受講者情報ファイル３５２に記憶する（ステップＳ１４４）。ＣＰＵ３１は、受講者の閲覧回数が所定回数以上または閲覧時間が所定時間以上の広告情報を、図８に示す閲覧履歴受講者情報ファイル３５２から抽出する（ステップＳ１４５）。さらに、前記受講者の電子メールアドレスも閲覧履歴受講者情報ファイル３５２から読み出す（ステップＳ１４６）。
【００４７】
ＣＰＵ３１は基本テンプレートＴ１及び広告メッセージＴ２から構成されるダイレクトメールを生成する（ステップＳ１４７）。基本テンプレートＴ１は記憶部３５に基本テキスト文が記憶されており、ＣＰＵ３１は抽出した閲覧履歴受講者情報ファイル３５２の受講者氏名を、基本テキスト分の所定位置に挿入する。また、ＣＰＵ１１は、ステップＳ１４５で抽出した広告情報に対応するメッセージを広告情報ファイル３５３から読み出し、広告メッセージＴ２部分に挿入する。ＣＰＵ３１はこれらの基本テンプレートＴ１及び広告メッセージＴ２から構成されるダイレクトメールを生成して受講者の電子メールアドレス宛へ送信する（ステップＳ１４８）。受講生はダイレクトメールを受信する（ステップＳ１４９）。これにより、記録媒体配布型のｅ−ラーニングにおいても、広告提供者は広告に対する受講者の反応、投資効果を把握でき、また受講者の嗜好を把握してダイレクトメールを送信するようにしたので、より商品の販売促進を図ることが可能となる。
【００４８】
【発明の効果】
以上詳述した如く、本発明にあっては、教育情報を記憶した教育情報データベース、及び、複数の広告提供者の広告情報及び各広告提供者のサーバコンピュータへアクセスするためのアドレスを受講者の属性に対応づけて記憶した広告情報データベースが予め記憶された記録媒体を受講者に配布する。そして、コンピュータの記録媒体読み取り手段により前記記録媒体を読み取らせ、コンピュータの入力手段から受講者情報を受け付ける。コンピュータの演算手段は、受け付けた受講者情報の属性に基づいて、前記広告情報データベースから各広告提供者の広告情報及びアドレスを抽出し、抽出した広告情報、アドレスが記述されたリンク及び前記教育情報データベースから読み出した教育情報を表示手段へ出力する。
【００４９】
各広告提供者の広告情報が表示された場合、各広告情報に対する閲覧履歴を記憶する。そして、広告提供者のリンクに対する操作により、サーバコンピュータへのアクセスがあった場合、通信網を介して接続される中央装置へ前記広告提供者の広告情報に対する閲覧履歴及び前記受講者情報を中央装置へ送信するようにしたので、記録媒体を配布する形態のｅ−ラーニングにおいても、受講者は有益な広告情報を閲覧でき、広告提供者は中央装置から閲覧履歴及び受講者情報を取得して掲載費に対する投資効果及び受講生の広告に対する反応を把握でき、またｅ−ラーニング事業者も安定した収益を得ることが可能となる。
【００５０】
また、本発明にあっては、サーバコンピュータは、配信された閲覧履歴に基づいて、広告用電子メールを生成し、生成した広告用電子メールを前記配信された受講者情報を参照して、教育情報出力装置へ送信するようにしたので、受講者が興味を持った商品に対する広告を効率的に送信することが可能となる等、本発明は優れた効果を奏し得る。
【図面の簡単な説明】
【図１】本発明に係る教育システムの概要を示す模式図である。
【図２】コンピュータのハードウェア構成を示すブロック図である。
【図３】受講者情報登録メニューのイメージを示す説明図である。
【図４】広告情報ＤＢのレコードレイアウトを示す説明図である。
【図５】表示部に出力される広告情報及び教育情報のイメージを示す説明図である。
【図６】閲覧履歴記憶ファイルのレコードレイアウトを示す説明図である。
【図７】中央装置及びＷＷＷサーバのハードウェア構成を示すブロック図である。
【図８】閲覧履歴受講者情報ファイルのレコードレイアウトを示す説明図である。
【図９】ダイレクトメールのイメージを示す説明図である。
【図１０】本発明の教育システムの処理手順を示すフローチャートである。
【図１１】本発明の教育システムの処理手順を示すフローチャートである。
【図１２】本発明の教育システムの処理手順を示すフローチャートである。
【図１３】本発明の教育システムの処理手順を示すフローチャートである。
【図１４】本発明の教育システムの処理手順を示すフローチャートである。
【符号の説明】
１　　　コンピュータ（教育情報出力装置）
１０　　記録媒体
２　　　中央装置
３　　　ＷＷＷサーバ（サーバコンピュータ）
Ｎ　　　通信網
１３　　入力部
１４　　表示部
１５１　受講者情報記憶ファイル
１５２　閲覧履歴記憶ファイル
１０１　教育情報データベース
１０２　広告情報データベース
【図１】
2004101770.tif 000003
【図２】
2004101770.tif 000004
【図３】
2004101770.tif 000005
【図４】
2004101770.tif 000006
【図５】
2004101770.tif 000007
【図６】
2004101770.tif 000008
【図７】
2004101770.tif 000009
【図８】
2004101770.tif 000010
【図９】
2004101770.tif 000011
【図１０】
2004101770.tif 000012
【図１１】
2004101770.tif 000013
【図１２】
2004101770.tif 000014
【図１３】
2004101770.tif 000015
【図１４】
2004101770.tif 000016